(57)【要約】【課題】  本考案は良好な安定性を具備する一種の多方向スイッチを提供することを目的とする。【解決手段】  本考案の多方向スイッチは、ハウジングと、該ハウジングに固定される固定接点と、該固定接点に位置する弾力片と、弾力片に位置し、固定接点に接触可能な可動装置と、保持体と、及び、可動に保持体に収容され、操作部と、押圧部と、操作部と押圧部の間に位置する凸部を有する押圧体と、を備える。前記押圧体の凸部には、保持体に係合する傾斜面が設けられる。前記保持体は、矩形の板状部と、該板状部の上表面から上向きに突出する突出部と、該板状部の側辺から横に延設する定位片と、を有する。前記可動装置は、複数の支持アームと、各支持アームに隣接する複数の接触アームと、支持アームと接触アームを連接する環状の連接部と、を有する。【選択図】図２
0003111347.tif 000002
【実用新案登録請求の範囲】
【請求項１】
多方向スイッチにおいて、該多方向スイッチは、
ハウジングと、
該ハウジングに固定される固定接点と、
該固定接点に位置する弾力片と、
弾力片に位置し、固定接点に接触可能な可動装置と、
保持体と、及び、
可動に保持体に収容され、操作部と、押圧部と、操作部と押圧部の間に位置する凸部を有する押圧体とを備え、
前記押圧体の凸部には、保持体に係合する傾斜面が設けられることを特徴とする多方向スイッチ。
【請求項２】
前記保持体は、矩形の板状部と、該板状部の上表面から上向きに突出する突出部と、該板状部の側辺から横に延設する定位片と、を有することを特徴とする請求項１に記載の多方向スイッチ。
【請求項３】
該定位片は、矩形であることを特徴とする請求項２に記載の多方向スイッチ。
【請求項４】
前記可動装置は、複数の支持アームと、各支持アームに隣接する複数の接触アームと、支持アームと接触アームを連接する環状の連接部と、を有することを特徴とする請求項１に記載の多方向スイッチ。
【請求項５】
前記多方向スイッチは、ハウジングに取り付けられる蓋体が設置されることを特徴とする請求項１に記載の多方向スイッチ。
【請求項６】
多方向スイッチにおいて、該多方向スイッチは、
底壁を含むハウジングと、
該ハウジングの底壁に固定される固定接点と、
該固定接点に位置する弾力片と、
弾力片に位置し、固定接点に接触可能な可動装置と、
保持体と、及び、
可動に保持体に収容され、押圧部が設けられる押圧体とを備え、
前記可動装置は、複数の支持アームと、各支持アームに隣接する複数の接触アームと、支持アームと接触アームを連接する環状の連接部と、を有することを特徴とする多方向スイッチ。
【請求項７】
前記固定接点は、中央触点が設けられる第１固定接点と、一対の周辺触点を有する第２固定接点と、第１、第２固定接点の周囲に位置する第３固定接点と、を備えることを特徴とする請求項６に記載の多方向スイッチ。
【請求項８】
前記可動装置は、固定接点に絶縁的に位置する四つの支持アームと、第３固定接点に接触可能な四つの接触アームと、押圧体の押圧部を通り越す第１孔を含むことを特徴とする請求項７に記載の多方向スイッチ。
【請求項９】
前記弾力片は、一対の周辺触点に接触する周辺部と、中央触点の上方に位置する中央部と、を含むことを特徴とする請求項７に記載の多方向スイッチ。
【請求項１０】
前記ハウジングには、凸塊と、係合槽と、前記固定接点を収容する複数の凹槽が設置されることを特徴とする請求項６に記載の多方向スイッチ。
【請求項１１】
前記多方向スイッチは、ハウジングの凸塊に係合する係合片と、係合槽に係合する係合部と、操作体を収容する収容孔とを有する蓋体が、設けられることを特徴とする請求項１０に記載の多方向スイッチ。
【考案の詳細な説明】
【技術分野】
【０００１】
本考案は多方向スイッチに関し、特に電子装置に用いる多方向スイッチに関する。
【背景技術】
【０００２】
電子工業における多方向スイッチは、通常、ハウジングと、該ハウジングに収容される固定接点と、弾力片と、可動接点と、操作体と、該ハウジングに組み合わせる蓋体と、を備える。該ハウジングは、矩形の底面と、該底面の各辺から上向き伸びる側壁と、該側壁に囲まれる収容スペースと、を有する。固定接点は、中央触点を含む第１固定接点と、該第１固定接点の外側に位置し、周辺触点が設けられる第２固定接点と、第１、第２触点が設置される四つの第３固定接点と、を備える。金属ドーム状の弾力片は、第２固定接点の周辺触点に接触する周辺部と、第１固定接点の中央触点の上方に位置する中央部と、を含む。矩形の可動接点と、第３固定接点の第１触点に接触する四つの押圧部とは、前記可動接点の側辺に設置される。押圧部は、弾力アームと、該弾力アームの前端に設けられ、第２触点の上方に位置する前端部と、を有する。操作体は、連接部と、該連接部の上表面にから上向きに突出する操作部と、該連接部の側辺から横に突出する突出部と、を含む。該多方向スイッチが作動される時、操作体が下向きに押圧され、弾力片の中央部が中央触点に接触する。そして、中央触点と周辺触点は、電気接続され、第１、第２固定接点が電気接続される。押圧体が横に押圧され、押圧部の前端部が、操作体の突出部によって、第３固定接点の第２触点に接触し、第３固定接点の第１、第２触点が電気接続される。そのようなスイッチの構造は特許文献１に記載されている。
【０００３】
ところが、前記操作部と突出部は、連接部によって一体になる。押圧体が下向きに押圧される時、突出部は、操作部に従って、下向きに押圧される。そして、押圧部に不必要な接触を引き起こし易く、第１、第２、第３固定接点の間に不必要な接続を引き起こすことが可能である。又、四つの押圧部が、可動接点の側辺に位置する。一つの押圧部が下向きに押圧される時、他の三つの押圧部は、つるし状態になるとともに、良好な安定性に欠ける。
【０００４】
もう一つの多方向スイッチは、ハウジングと、該ハウジングに固定される固定接点と、該固定接点に位置する弾力片と、固定接点に接触可能な可動装置と、保持部と、該保持部に収容される押圧体と、該ハウジングに組む合わせる蓋体と、を備える。前記固定接点は、中央触点と中央触点から横に延伸する第１端子アームが設けられる第１固定接点と、該中央触点の周囲に設置される側部触点と、該側部触点を連接する第２端子アームと、を含む第２固定接点と、側部触点に隣接する四つの第３固定接点と、を含む。前記押圧体は、操作部と、押圧部と、該操作部と押圧部を連接する連接部と、を有する。弾力片は、中央触点に接触可能な中央弾力片と、第２、第３固定接点の上方に位置する周辺弾力片と、を有する。保持体には、周辺弾力片を押圧する四つの半円の押圧部が設けられる。押圧体の末端には、保持部の下方に保持される矩形の凸塊が横に突出するように設置される。押圧体が下向きに押圧される時、中央弾力片が第１固定接点の中央接点に接触する。そして、中央接点と側部接点は電気接続され、第１、第２固定接点が電気接続される。押圧体が保持体と一緒に横に押圧される時、押圧体の凸塊が保持体の下方に保持され、保持体の一つの押圧部が対応する周辺弾力片に接触し、第２固定接点と、対応する第３固定接点との間に、電気的な接続が達成される。そのようなスイッチの構造は特許文献２に記載されている。
【０００５】
ところが、凸塊が保持部の下方に保持される。そして、押圧体が保持体と一緒に側へ押圧される時、凸塊の上表面と保持体の底部の間に生じる隙間によって、押圧体は、保持体から脱け出し、良好な押圧効果が達成しにくい。又、該多方向スイッチは、半円形の押圧部によって、良好な方向性と安定性に欠ける。
【０００６】
従って、本考案は前記の欠点を克服するために一種の新たな多方向スイッチを設計する。
【特許文献１】特開２００４−７１４５１号公報
【特許文献２】米国特許出願公開第２００４−５５８６１号明細書
【考案の開示】
【考案が解決しようとする課題】
【０００７】
本考案の目的は、このような従来の問題点を解決した電気コネクタを提供することである。すなわち、従来の技術と違って、不必要な操作を回避し、良好な安定性を具備する多方向スイッチが得られるようにする。
【課題を解決するための手段】
【０００８】
本考案は多方向スイッチに関し、多方向スイッチは、ハウジングと、該ハウジングに固定される固定接点と、該固定接点に位置する弾力片と、弾力片に位置し、固定接点に接触可能な可動装置と、保持体と、及び、可動に保持体に収容され、操作部と、押圧部と、操作部と押圧部の間に位置する凸部を有する押圧体と、を備える。前記押圧体の凸部には、保持体に係合する傾斜面が設けられる。前記保持体は、矩形の板状部と、該板状部の上表面から上向きに突出する突出部と、該板状部の側辺から横に延設する定位片と、を有する。前記可動装置は、複数の支持アームと、各支持アームに隣接する複数の接触アームと、支持アームと接触アームを連接する環状の連接部と、を有する。
【考案の効果】
【０００９】
従来の技術に比べると、本考案は以下の長所がある。多方向スイッチは、押圧体と保持体が二つの部材になる。押圧体の凸部には、保持体に係合する傾斜面が設けられる。そして、保持体は、押圧体が垂直に下に移動するのに従って、一緒に下向きに移動することを防止できる。又、押圧体の傾斜面が保持体に係合することから、押圧体が保持体から弛むことを防止し、良好な押圧効果が得られる。同時に、対称に配列される四つの定位片によって、押圧体と可動装置が良好な定位性を具備する。且つ、可動装置の支持アームが、該可動装置を支持できる。
【考案を実施するための最良の形態】
【００１０】
本考案の多方向スイッチ１００は、ハウジング６と、押圧体１と、保持体２と、可動装置３と、可動接点４と、固定接点５と、及び該ハウジング６に組み合わせる蓋体７と、を備える。
【００１１】
図２及び図３に示すように、ほぼ矩形の前記ハウジング６は、底壁６９と、該底壁６９から上向きに延伸する第１、第２、第３、第４側壁６１、６２、６３、６４と、及び該側壁に囲まれる収容スペース６５と、を備える。相対する一対の第１、第３側壁６１、６３の外表面の中央には、末端が底壁６９に伸びる係合槽６１１、６３１が開設され、内表面の中央には、第３凹槽６８が設けられる。第２、第４側壁６２、６４の外表面には、外側へ突出する凸塊６２１、６４１が設置され、内表面の中央には、一対の矩形の第２凹槽６７が開設される。収容スペース６５の四つの角部には、四つの扇形の第１凹槽６６が設けられる。前記係合槽６１１、６３１と、第１、第２、第３凹槽６６，６７，６８は、側壁６１、６２、６３、６４と同じ高さを具備する。
【００１２】
図４において、前記押圧体１は、傾斜面１２１が設けられる凸部１２と、該凸部１２の上表面から上向きに延設する操作部１１と、該凸部１２の下表面から下向きに突出する押圧部１３と、を有する。
【００１３】
図２、図３及び図５において、前記保持部２は、矩形の板状部２２と、該板状部２２の上表面から上向きに突出する突出部２１と、該板状部２２の側辺から横に延設する矩形の定位片２３と、該定位片２３から下向きに突設する四つの凸柱２４と、を有する。その中で、押圧体１が収容される突出部２１は、操作部１１を収容する第１収容スペース２１１と、凸部１２を収納する第２収容スペース２１２と、を開設される。該第１収容スペース２１１と第２収容スペース２１２を連接する連接面２１３は、傾斜面である。四つの定位片２３は、板状部２２の四つの側辺の中央に、対称に設置される。又、板状部２２は、矩形の状態によって、該スイッチ１００が横に押圧される時、操作過程の良好な方向性と安定性を確保できる。
【００１４】
前記可動装置３は、該可動装置３を支持する四つの支持アーム３２と、各支持アーム３２に隣接する四つの接触アーム３３と、支持アーム３２と接触アーム３３を連接する環状の連接部３１と、連接部３１の中央に開設される第１孔３４と、該第１孔３４の周囲に配置される四つの第２孔３５と、を有する。支持アーム３２は、固定接点５に絶縁的に位置する。押圧体１の押圧部１３は、第１孔３４を通り越しできる。
【００１５】
弾力片４は、金属シートで形成される。該弾力片４は、一対の周辺部４２と、ドーム状の中央部４１と、を有する。
【００１６】
固定接点５は、第１、第２、第３固定接点５１、５２、５３を含む。第１固定接点５１は、中央触点５１１が設けられる円形の片状体（標号示せず）と、該片状体から一端に延設する第１端子アーム５１２と、を有する。第２固定接点５２は、一対の側部触点５２１が対称に配置される半環状の環状部５２２１と、該環状部５２２１から一端に延伸する延伸部５２２２と、を含む第２端子アーム５２２が設けられる。前記一対の側部触点５２１の両側には、四つの第３固定接点５３が配置される。
【００１７】
蓋体７は、ほぼ矩形の基部７１を有する。該基部７１の中央には、押圧体1の操作体１１を収容する収容孔７２が設けられる。又、蓋体７の一対の側辺には、ハウジング６の凸塊６２１、６４１に係合する係合孔７４１が開設される係合片７４が設けられる。蓋体７の他の一対の側辺には、係合槽６１１、６３１に係合するＬ状の係合部７３が設置される。
【００１８】
図５〜図７において、該スイッチ１００が取り付けられる時、固定接点５は、ハウジング６の底壁６９に固定される。第１固定接点５１は、中央触点５１１がハウジング６の収容スペース６５の中央に位置し、第１端子アーム５１２の末端が第４側壁６４の第２凹槽６７に収容される。第２固定接点５２は、延伸部５２２２が第２側壁６２の第２凹槽６７に収容され、側部触点５２１が中央触点５１１の両側に配置される。弾力片４は収容スペース６５に位置し、周辺部４２が側部触点５２１に接触し、中央部４１が、中央触点５１１の上方に位置し、且つ該中央触点５１１と接触可能である。可動装置３は弾力片４に位置し、支持アーム３２が固定接点５に絶縁に接触し、接触アーム３３が、対応する第３固定接点５３の上方につるし状態で配列され、且つ第３固定接点５３に接触可能である。押圧体１は、保持体２に収容され、操作部１１が部分的に第１収容スペース２１１に収容され、該第１収容スペース２１１から上向きに突出し、凸部１２が第２収容スペース２１２に収納され、凸部１２の傾斜面１２１が、収容スペース２１１、２１２の連接面２１３に係合する。保持体２は、第２孔３５に挿入される凸柱２４によって、可動装置３に取り付けられる。該押圧体１の押圧部１３は、第１孔３４を貫通し、下向きに突出し、弾力片４の中央部４１に位置する。一体に締め付けられる押圧体１と、保持体２と、可動体３は、四つの矩形の定位片２３によって、良好な定位性を具備する。蓋体７はハウジング６に組み合わさり、基板７１がハウジング６の上表面にシールドする。操作部１１と突出部２１は、収容孔７２によって外へ突出し、係合部７３が対応する係合槽６１１、６３１に係合し、係合片７４が凸塊６２１、６４１に係合する。
【００１９】
該多方向スイッチ１００が作動される時、垂直に下向き、あるいは横向きに押圧される可能性がある。操作部１１が垂直に下向きに押圧される時、押圧部１３が、操作部１１に従って垂直に下向きに移動し、弾力片４の中央部４１を押圧する。該弾力片４の弾性変形によって、中央触点５１１と側部触点５２１が電気接続されることから、第１、第２固定接点５１、５２は互いに導通される。操作部１１が横向きに押圧される時、一体に締め付けられる押圧体１と、保持体２と、可動装置３は、板状部２２のある方向に傾斜する。保持部１２の傾斜面１２１が、第１、第２収容スペース２１１、２１２の連接面２１３に係合することから、押圧体１が弛むことを防止し、良好な押圧効果が得られる。該スイッチ１００は、矩形の板状部２２によって、傾斜の状態で、良好な方向性と安定性を具備する。この状態で、隣接する一対の接触アーム３３は、対応する第３固定接点と接触する。同時に、押圧部１３によって、弾力片４は、中央触点５１１と接触する。そして、中央触点５１１と、側部触点５２１と、隣接するように配列される一対の第３固定接点５３は、電気接続される。即ち、第１、第２、対応する第３固定接点５１、５２、５３は、互いに導通される。
【００２０】
操作部１１に加えられる押圧力が取り消される時、押圧体１と、保持体２及び可動装置３は、弾力片４によって本来の状態に回復される。中央部４１と、接触アーム３３は、それぞれ、中央接点５１１と第３固定接点５３から離れる。スイッチの電気回路が切られる。
【００２１】
総じて、本考案の多数の特徴及び長所など、その構造及び機能が共に前述の記載により掲げられている。また前記の説明は、本考案に基づきなしうる細部の修正或は変更など、いずれも本考案の請求範囲に属するものとする。
【産業上の利用可能性】
【００２２】
本考案は多方向スイッチに関し、特に不必要な操作を回避し、良好な安定性を具備する多方向スイッチに関する。
【図面の簡単な説明】
【００２３】
【図１】本考案の多方向スイッチの立体組合図である。
【図２】本考案の多方向スイッチの部品の透視図である。
【図３】本考案の多方向スイッチの部品の他の透視図である。
【図４】本考案の多方向スイッチの押圧体の拡大図である。
【図５】本考案の多方向スイッチの図1のＡ−Ａの方向に沿った断面図である。
【図６】本考案の多方向スイッチの図1のＢ−Ｂの方向に沿った断面図である。
【図７】本考案の多方向スイッチが側へ押圧される断面図である。
【符号の説明】
【００２４】
１  押圧体
２  保持体
３  可動装置
４  弾力片
５  可動接点
６  ハウジング
７  蓋体
１１  操作部
１２  凸部
１３  押圧部
２１  突出部
２２  板状部
２３  定位片
２４  凸柱
３１  連接部
３２  支持アーム
３３  接触アーム
３４  第１孔
３５  第２孔
４１  中央部
４２  周辺部
５１  第１固定接点
５２  第２固定接点
５３  第３固定接点
６１  第１側壁
６２  第２側壁
６３  第３側壁
６４  第４側壁
６５  収容スペース
６６  第１凹槽
６７  第２凹槽
６８  第３凹槽
７１  基部
７２  収容孔
７３  係合部
７４  係合片
１００  多方向スイッチ
２１１  第１収容スペース
２１２  第２収容スペース
２１３  連接面
５１１  中央触点
５１２  第１端子アーム
５２１  周辺触点
５２２  第２端子アーム
６１１、６３１  係合槽
６２１、６４１  凸塊
７４１  係合孔
５２２１  環状部
５２２２  延伸部
【図１】
0003111347.tif 000003
【図２】
0003111347.tif 000004
【図３】
0003111347.tif 000005
【図４】
0003111347.tif 000006
【図５】
0003111347.tif 000007
【図６】
0003111347.tif 000008
【図７】
0003111347.tif 000009